(57)【特許請求の範囲】
【請求項１】
個々の遊技機毎に呼出し表示器が設けられ、該呼出し表示器に対応する遊技機の遊技状態を表示させ、且つ、この呼出し表示器からの信号も処理して成る遊技情報表示装置において、前記遊技機には、この遊技機からの遊技機信号およびこの遊技機に付随する周辺機器からの周辺機器信号を収集し処理する情報収集装置が個別に設けられ、前記個々の遊技機毎に設けられた呼出し表示器および情報収集装置は、全てがネットワークラインを介して接続され、前記情報収集装置は処理が行われた後の前記遊技機信号および周辺機器信号に各機器毎に設定されている識別子を付してネットワークラインに出力し、それぞれの前記呼出し表示器は前記ネットワークラインから自己の表示内容を収集し表示を行うと共に自己に生じた呼出し信号を上記と同様な識別子を付してネットワークラインに出力することを特徴とする遊技情報表示装置。
【請求項２】
前記遊技情報表示装置は集中管理装置を含み、前記情報収集装置からの信号のフローは、呼出し表示器→集中管理装置の順であることを特徴とする請求項１記載の遊技情報表示装置。
【請求項３】
前記遊技情報表示装置は集中管理装置を含み、前記情報収集装置からの信号のフローは、集中管理装置→呼出し表示器の順であることを特徴とする請求項１記載の遊技情報表示装置。
【請求項４】
前記遊技情報表示装置は集中管理装置を含み、前記情報収集装置からの信号のフローは、集中管理装置と呼出し表示器とに同報であることを特徴とする請求項１記載の遊技情報表示装置。
【発明の詳細な説明】
【０００１】
【発明の属する技術分野】
本発明は、複数の遊技機が備えられる遊技場において、主として、遊技者に個々の遊技機の過去の履歴などを表示して、遊技者が遊技機を選択するときの参考としたり、あるいは、遊技機の遊戯中の状態を表示して一層の楽しさを演出するために、個々の遊技機毎に設けられる呼出し表示器を制御するための遊技情報表示装置に関するものである。
【０００２】
【従来の技術】
従来のこの種の遊技情報表示装置９０の構成の例を遊技機がパチンコ台のときの例で示すものが図２であり、各遊技機（パチンコ台、以下同じ）９１にはそれぞれに呼出し表示器９２が付属させられ、この呼出し表示器９２には、前記遊技機９１からの、打玉数信号、出玉数信号、スタート信号、特賞信号、確率変動信号などの遊技機信号Ｐ１に加え、例えばこの遊技機９１に遊技玉を補給するための玉補給機、あるいは、遊技機９１間に設けられている玉貸し機など周辺機器９３からの周辺機器信号Ｐ２も入力されている。
【０００３】
前記呼出し表示器９２は、上記の入力が行われた信号Ｐ１、Ｐ２のそれぞれ毎に加算、集計など必要な処理が行われ、必要な信号における処理結果を、この呼出し表示器９２に内蔵されたＬＥＤランプ、液晶表示器などの表示装置に点灯、数字表示、文字表示、絵表示など適宜な手段で表示を行わせることで対応する遊技機９１の遊技状態を遊技者に表示し興味を盛上げる。
【０００４】
上記の機能を実現するために、前記呼出し表示器９２には遊技機９１からの遊技機信号Ｐ１、周辺機器信号Ｐ２を取込むための入力機能、入力した信号Ｐ１、Ｐ２を処理するためのデータ処理機構、表示装置に表示を行わせるための表示機能、および、入力した信号Ｐ１、Ｐ２を外部に出力する出力機能、および、停電などに備える情報保持機能が設けられている。
【０００５】
また、呼出し表示器９２は、対応する遊技機９１の故障時に店員を呼出す呼出スイッチと、これにより点灯する呼出しランプを備え、更に、店員が近所にいないときにも呼出しを確実に連絡が行えるように、呼出し表示器９２は呼出信号Ｐ３を外部に出力し、見通しの良い場所に設けられた代表呼出し装置９４も点灯させる。
【０００６】
さらに、一部の呼出し表示器９２においては、自己が対応する遊技機９１に特賞状態が発生した場合には、近隣の呼出し表示器９２の特賞ランプを順次に点灯させるランニングなどと呼ばれている称賛表示を行うものとされ、この称賛表示を行うためのランニング信号Ｐ４も出力するものとされている。また、前記ランニング信号Ｐ４は前記代表呼出し装置９４にも伝達され、その区画（島）で特賞状態が発生したことを表示する。
【０００７】
一方、前記呼出し表示器９２に設けられた出力機能は、前記信号Ｐ１、Ｐ２を遊技情報収集装置９５に出力信号Ｐ５として接続され、この遊技情報収集装置９５は信号Ｐ１、Ｐ２毎に演算、集計など必要な処理を行い、その結果を遊技データＰ６として集中管理装置（図示せず）に送信する。また、遊技場によっては呼出し表示器９２に要求する表示項目にも相違があるので、赤外線リモコンなどによる設定信号Ｐ７を受信するための受光部も設けられている。
【０００８】
【発明が解決しようとする課題】
しかしながら、前記した従来の遊技情報表示装置９０においては、
▲１▼  呼出し表示器９２は、遊技機９１からの遊技機信号Ｐ１と周辺機器９３からの周辺機器信号Ｐ２を接続し、さらに、ほぼ同様な形状、本数となる出力信号Ｐ５を遊技情報収集装置９５に接続するものとなるので、配線数が多く接続作業に手間が係ると共に、入力側の信号Ｐ１、Ｐ２と、出力側の信号Ｐ５との取り違いなどを生じやすく、動作不良、破損などを生じやすい問題点。
【０００９】
▲２▼  呼出し表示器９２の各々に停電などに備える情報保持機能が必要となり、コストアップする問題点。
▲３▼  遊技場毎に要求される表示項目を設定するために、設置後にリモコンなどで全ての呼出し表示器９２に対して設定作業を行わなければ成らず、初期設定に多大の時間が必要となる問題点。
【００１０】
▲４▼  前記信号Ｐ１、Ｐ２に加えて、呼出信号Ｐ３、ランニング信号Ｐ４の接続も必要となり、一層に配線、接続作業が煩雑化する問題点。
▲５▼  遊技機９１の入換え時などには、上記の配線作業の取外しと、再接続が必要となり、近年の遊技機９１のモデルチェンジのサイクルが短い状態では、これらの作業が大きな負担となる問題点。
等々を生じ、これらの点の解決が課題とされている。
【００１１】
【課題を解決するための手段】
本発明は前記した従来の課題を解決するための具体的手段として、個々の遊技機毎に呼出し表示器が設けられ、該呼出し表示器に対応する遊技機の遊技状態を表示させ、且つ、この呼出し表示器からの信号も処理して成る遊技情報表示装置において、前記遊技機には、この遊技機からの遊技機信号およびこの遊技機に付随する周辺機器からの周辺機器信号を収集し処理する情報収集装置が個別に設けられ、前記個々の遊技機毎に設けられた呼出し表示器および情報収集装置は、全てがネットワークラインを介して接続され、前記情報収集装置は処理が行われた後の前記遊技機信号および周辺機器信号に各機器毎に設定されている識別子を付してネットワークラインに出力し、それぞれの前記呼出し表示器は前記ネットワークラインから自己の表示内容を収集し表示を行うと共に自己に生じた呼出し信号を上記と同様な識別子を付してネットワークラインに出力することを特徴とする遊技情報表示装置を提供することで課題を解決するものである。
【００１２】
【発明の実施の形態】
つぎに、本発明を図に示す実施形態に基づいて詳細に説明する。図１に符号１で示すものは本発明に係る遊技情報表示装置であり、この遊技情報表示装置１は、個々の遊技機２毎に呼出し表示器３が設けられ、この呼出し表示器３に過去の履歴などを表示して遊技者が遊技機２を選択するときの参考としたり、あるいは、遊技機２の遊戯中の状態を表示して遊技に興趣を添えることを目的とするものである点は従来例のものと同様である。また、代表呼出し装置４なども同様に設けられている。
【００１３】
ここで、本発明では個々の遊技機２毎に情報収集装置５を設けるものであり、この情報収集装置５には遊技機２からの遊技機信号Ｐ１、この遊技機２に付属する周辺機器６からの周辺機器信号Ｐ２が入力されている。また、必要に応じては前記呼出し表示器３からの呼出し信号Ｐ３も入力されている。
【００１４】
そして、この実施形態においては前記情報収集装置５に入力が行われた各信号Ｐ１〜Ｐ３は、必要に応じる加算、集計などの処理が行われ、例えば自己が対応する呼出し表示器３のネットワーク上のアドレスなど、識別子を付して例えば二本の電線であるネットワークライン７に出力する。尚、このときに、前記情報収集装置５は呼出し表示器３の識別子と同時に集中管理装置８の識別子を付した上記各信号Ｐ１〜Ｐ３を出力し、集中管理装置８に信号Ｐ１〜Ｐ３を同送しても良く、あるいは、呼出し表示器３から集中管理装置８に信号Ｐ１〜Ｐ３を送付するものとしても良い。
【００１５】
このようにすることで、前記呼出し表示器３は、前記ネットワークライン７上に流れる各種の信号中から、自己の識別子が付された各信号Ｐ１〜Ｐ３を入力し、表示を行えば良いものとなり、従って、従来例の呼出し表示器に要求されていた信号Ｐ１、Ｐ２を取込むための入力機構、信号Ｐ１、Ｐ２の加算、集計を行う処理機構、処理済の信号Ｐ１、Ｐ２を出力するための出力機構は不要となる。特に前記情報収集装置５から集中管理装置８へ信号Ｐ１、Ｐ２の出力を行う場合には呼出し表示器３には出力機構は実質的に全く不要となる。
【００１６】
ここで、前記した識別子について更に詳細に説明を行えば、これら識別子は、例えば同じ区画（島）に属する呼出し表示器３を単位としてグループ化することが可能であるので、例えば、ある区画に属する呼出し表示器３から呼出し信号Ｐ３が発せられたときには、その区画に属する代表呼出し装置４を点灯させるなどは自在なものとなる。
【００１７】
また、前記代表呼出し装置４は、同一区画（例えば島）内の呼出し表示器３からの信号Ｐ１、Ｐ２である場合、内蔵したバックアップメモリに呼出し表示器３毎に区分して記憶し、例えば停電時、電源切断時のデータ消失を防止することも可能である。そして、停電の解消、翌日の営業開始など電源が回復した時点には、上記バックアップした信号Ｐ１、Ｐ２などをそれぞれの呼出し表示器３にネットワークライン７を介して送付すればよい。
【００１８】
任意の遊技機２で特賞、確率変動などの状態が発生したとき、情報収集装置５はその遊技機信号Ｐ１から対応する呼出し表示器３にネットワークライン７を介して信号を送りこの状態を表示させる。また、前記遊技機信号Ｐ１が特賞の発生である場合には、同時に同一グループ内の呼出し表示器３にもネットワークライン７を介してランニング信号Ｐ４を送り称賛表示を行わせる。更にこの状態は代表呼出し装置４でも表示が行われる。
【００１９】
ここで、上記のようにネットワーク化したときには、前記呼出し表示器３、代表呼出し装置４、情報収集装置５、集中管理装置８は全てネットワークライン７に接続されているものであり、従来例のように信号の処理順に従い電線などでシリアルに接続されるものではないので、例えば情報収集装置５を経由する遊技機２からの遊技機信号Ｐ１が、呼出し表示器３あるいは代表呼出し装置４に伝達される経路の設定は自在である。
【００２０】
よって、前記情報収集装置５からの信号Ｐ１〜Ｐ４をまず集中管理装置８に送付するものとすれば、前記集中管理装置８は本来が情報処理能力に優れるコンピュータであるので、この集中管理装置８で信号Ｐ１〜Ｐ４に対する必要な処理を行い、しかる後にネットワークライン７に出力するものとすれば、前記呼出し表示器３、代表呼出し装置４、情報収集装置５には信号に対する処理機能を設ける必要はなく、全体構成、特に情報収集装置５の簡素化が可能となる。また、不意の停電などに備えるときにも集中管理装置８のみをバックアップすればよい。更にいえば、前記呼出し表示器３における表示内容の設定など、その遊技場に特有な設定も集中管理装置８からの一度の同報指令で全呼出し表示器３に行うことが可能である。
【００２１】
【発明の効果】
以上に説明したように本発明により、遊技機には、この遊技機からの遊技機信号およびこの遊技機に付随する周辺機器からの周辺機器信号を収集し処理する情報収集装置が個別に設けられ、該情報収集装置は処理が行われた後の前記遊技機信号および周辺機器信号に各機器毎に設定されている識別子を付してネットワークラインに出力し、それぞれの前記呼出し表示器は前記ネットワークラインから自己の表示内容を収集し表示を行うと共に自己に生じた呼出し信号を上記と同様な識別子を付してネットワークラインに直接的、間接的に出力する遊技情報表示装置としたことで、第一には、情報収集装置、呼出し表示装置、代表呼出し装置、集中管理装置などの相互接続は、典型的には２本の電線であるネットワークラインに接続するのみであり、しかも接続するときの順序などを問わない並列接続であるので、配線数および接続作業が大幅に削減できるものとなり、近来の遊技機の短期間でのモデルチェンジにも対処可能とする優れた効果を奏するものである。
【００２２】
また、第二には、本発明の構成としたことで、データの流れが自在になり、例えば集中管理装置で全てのデータの処理も可能なものとし、情報収集装置、呼出し表示装置、代表呼出し装置などでのデータ処理を不要として簡素化し、遊技情報表示装置のコストダウンにも極めて優れた効果を奏するものである。また、集中管理装置で一度に全ての呼出し表示装置に対する遊技場特有の表示内容を設定するなどが可能となり、新装時の開店準備の手間などもも簡素化する効果も併せて奏するものである。
【図面の簡単な説明】
【図１】  本発明に係る遊技情報表示装置の実施形態の配線状態を示すブロック図である。
【図２】  従来例の配線状態を示すブロック図である。
【符号の説明】
１……遊技情報表示装置
２……遊技機
３……呼出し表示器
４……代表呼出し装置
５……情報収集装置
６……周辺装置
７……ネットワークライン
８……集中管理装置
Ｐ１……遊技機信号
Ｐ２……周辺機器信号
Ｐ３……呼出し信号
Ｐ４……ランニング信号
【図１】
0004814432.tif 000002
【図２】
0004814432.tif 000003